(57)【特許請求の範囲】
【請求項１】
導電性樹脂製の箱形の容器である搬送器具の導電性樹脂壁の一部を除去してなるＩＤタグ配置孔と、
前記導電性樹脂壁とは別体に設けられ、前記導電性樹脂壁に着脱可能に取り付けて、前記ＩＤタグ配置孔を閉塞する非導電性樹脂製のＩＤタグ保持壁と、
前記ＩＤタグ保持壁に設けられ、前記ＩＤタグ配置孔を貫通する方向から見てＩＤタグをその全体が前記ＩＤタグ配置孔内に収まる位置に保持するタグ保持部と、を備えた搬送器具であって、
前記ＩＤタグ配置孔の内面から突出しかつ前記ＩＤタグ配置孔の縁部に沿って延びた孔内突条を設け、前記ＩＤタグ配置孔を貫通方向から見たときに、そのＩＤタグ配置孔の内部空間と、前記孔内突条を含む前記ＩＤタグ配置孔の縁部との境界線が、凹凸を有しない直線からなる四角形をなし、
前記ＩＤタグ保持壁には、前記導電性樹脂壁の外側から前記孔内突条に係止する外側係止部と、前記ＩＤタグ配置孔を貫通方向から見て前記外側係止部とは異なる位置で前記導電性樹脂壁の内側から前記孔内突条に係止する内側係止部とが設けられると共に、前記外側係止部又は前記内側係止部の一方を、前記孔内突条との係止解除方向に弾性変形可能とし、
前記内側係止部を含む前記ＩＤタグ保持壁全体が、前記ＩＤタグ配置孔を有する前記導電性樹脂壁の内面より外側にずれた位置に配置されていることを特徴とする搬送器具。
【請求項２】
導電性樹脂製のパレット、容器、その他の搬送器具の導電性樹脂壁の一部を除去してなるＩＤタグ配置孔と、
前記導電性樹脂壁とは別体に設けられ、前記ＩＤタグ配置孔を閉塞する非導電性樹脂製のＩＤタグ保持壁と、
前記ＩＤタグ保持壁に設けられ、前記ＩＤタグ配置孔を貫通する方向から見てＩＤタグをその全体が前記ＩＤタグ配置孔内に収まる位置に保持するタグ保持部と、を備え、前記ＩＤタグ保持壁が前記導電性樹脂壁の前記ＩＤタグ配置孔に着脱可能に取り付けられる搬送器具であって、
前記ＩＤタグ配置孔の内面から突出しかつ前記ＩＤタグ配置孔の縁部に沿って延びた孔内突を設け、前記ＩＤタグ配置孔を貫通方向から見たときに、そのＩＤタグ配置孔の内部空間と、前記孔内突条を含む前記ＩＤタグ配置孔の縁部との境界線が、凹凸を有しない直線からなる四角形をなし、
前記ＩＤタグ保持壁には、前記導電性樹脂壁の外側から前記孔内突条に係止する外側係止部と、前記ＩＤタグ配置孔を貫通方向から見て前記外側係止部とは異なる位置で前記導電性樹脂壁の内側から前記孔内突条に係止する内側係止部とが設けられると共に、前記外側係止部又は前記内側係止部の一方を、前記孔内突条との係止解除方向に弾性変形可能とし、
前記孔内突条を、前記ＩＤタグ配置孔の内面の幅方向でクランク状に屈曲させて前記導電性樹脂壁の内面寄りに位置した内寄り突部と前記導電性樹脂壁の外面寄りに位置した外寄り突部とに区画し、前記内寄り突部に前記外側係止部を係止させる一方、前記外寄り突部に前記内側係止部を係止させたことを特徴とする搬送器具。
【請求項３】
前記ＩＤタグ配置孔を有する前記導電性樹脂壁の外面には、リブ、フランジ、その他の外面突部が設けられ、前記外面突部を含む前記導電性樹脂壁の最外面と前記ＩＤタグ保持壁の最外面とを略面一に配置したことを特徴とする請求項１又は２に記載の搬送器具。
【発明の詳細な説明】
【技術分野】
【０００１】
本発明は、樹脂製のパレット、容器、その他の搬送器具に関し、特に箱形の容器（所謂、コンテナ）としての搬送器具に関する。
【背景技術】
【０００２】
樹脂製の搬送器具は、他の搬送器具や荷物と擦れることで帯電して、その帯電による静電気で荷物に塵埃が付着したり、静電気放電により荷物としての電子部品を破損させるような静電気障害が生じ得る。これに対し、静電気障害を防ぐために導電性樹脂製のコンテナが開発されている（例えば、特許文献１参照）。
【先行技術文献】
【特許文献】
【０００３】
【特許文献１】特開２０００−７９９４２号公報（段落［００１３］）
【発明の概要】
【発明が解決しようとする課題】
【０００４】
ところで、近年、ＩＤタグを搬送器具に取り付けて行う物流管理が普及してきている。しかしながら、上記したコンテナをはじめとする従来の導電性樹脂製の搬送機器では、ＩＤタグを取り付けた導電性樹脂壁に渦電流等が発生する等して、ＩＤタグの通信障害が起きるという問題が発生していた。
【０００５】
本発明は、上記事情に鑑みてなされたもので、荷物の静電気障害とＩＤタグの通信障害の両方を防止可能な搬送器具の提供を目的とする。
【課題を解決するための手段】
【０００６】
上記目的を達成するためになされた請求項１の発明に係る搬送器具は、導電性樹脂製の箱形の容器である搬送器具の導電性樹脂壁の一部を除去してなるＩＤタグ配置孔と、導電性樹脂壁とは別体に設けられ、導電性樹脂壁に着脱可能に取り付けて、ＩＤタグ配置孔を閉塞する非導電性樹脂製のＩＤタグ保持壁と、ＩＤタグ保持壁に設けられ、ＩＤタグ配置孔を貫通する方向から見てＩＤタグをその全体がＩＤタグ配置孔内に収まる位置に保持するタグ保持部と、を備えた搬送器具であって、ＩＤタグ配置孔の内面から突出しかつＩＤタグ配置孔の縁部に沿って延びた孔内突条を設け、ＩＤタグ配置孔を貫通方向から見たときに、そのＩＤタグ配置孔の内部空間と、孔内突条を含むＩＤタグ配置孔の縁部との境界線が、凹凸を有しない直線からなる四角形をなし、ＩＤタグ保持壁には、導電性樹脂壁の外側から孔内突条に係止する外側係止部と、ＩＤタグ配置孔を貫通方向から見て外側係止部とは異なる位置で導電性樹脂壁の内側から孔内突条に係止する内側係止部とが設けられると共に、外側係止部又は内側係止部の一方を、孔内突条との係止解除方向に弾性変形可能とし、内側係止部を含むＩＤタグ保持壁全体が、ＩＤタグ配置孔を有する導電性樹脂壁の内面より外側にずれた位置に配置されているところに特徴を有する。
【０００７】
請求項２の発明に係る搬送器具は、導電性樹脂製のパレット、容器、その他の搬送器具の導電性樹脂壁の一部を除去してなるＩＤタグ配置孔と、前記導電性樹脂壁とは別体に設けられ、前記ＩＤタグ配置孔を閉塞する非導電性樹脂製のＩＤタグ保持壁と、前記ＩＤタグ保持壁に設けられ、前記ＩＤタグ配置孔を貫通する方向から見てＩＤタグをその全体が前記ＩＤタグ配置孔内に収まる位置に保持するタグ保持部と、を備え、前記ＩＤタグ保持壁が前記導電性樹脂壁の前記ＩＤタグ配置孔に着脱可能に取り付けられる搬送器具であって、前記ＩＤタグ配置孔の内面から突出しかつ前記ＩＤタグ配置孔の縁部に沿って延びた孔内突を設け、前記ＩＤタグ配置孔を貫通方向から見たときに、そのＩＤタグ配置孔の内部空間と、前記孔内突条を含む前記ＩＤタグ配置孔の縁部との境界線が、凹凸を有しない直線からなる四角形をなし、前記ＩＤタグ保持壁には、前記導電性樹脂壁の外側から前記孔内突条に係止する外側係止部と、前記ＩＤタグ配置孔を貫通方向から見て前記外側係止部とは異なる位置で前記導電性樹脂壁の内側から前記孔内突条に係止する内側係止部とが設けられると共に、前記外側係止部又は前記内側係止部の一方を、前記孔内突条との係止解除方向に弾性変形可能とし、前記孔内突条を、前記ＩＤタグ配置孔の内面の幅方向でクランク状に屈曲させて前記導電性樹脂壁の内面寄りに位置した内寄り突部と前記導電性樹脂壁の外面寄りに位置した外寄り突部とに区画し、前記内寄り突部に前記外側係止部を係止させる一方、前記外寄り突部に前記内側係止部を係止させたところに特徴を有する。
【０００８】
請求項３の発明は、請求項１又は２に記載の搬送器具において、ＩＤタグ配置孔を有する導電性樹脂壁の外面には、リブ、フランジ、その他の外面突部が設けられ、外面突部を含む導電性樹脂壁の最外面とＩＤタグ保持壁の最外面とを略面一に配置したところに特徴を有する。
【発明の効果】
【００１３】
［請求項１の発明］
請求項１の発明では、箱形の容器である搬送器具を導電性樹脂で成形し、その搬送器具の導電性樹脂壁に非導電性樹脂製のＩＤタグ保持壁により閉塞されたＩＤタグ配置孔を設けて、そのＩＤタグ保持壁にＩＤタグを取付可能としたので、荷物の静電気障害とＩＤタグの通信障害の両方を防止することができる。また、ＩＤタグ保持壁のうちＩＤタグ配置孔を有する導電性樹脂壁の内面より外側にずれた位置にＩＤタグが配置されるので、容器内の荷物によるＩＤタグの無線波への影響を抑えて、ＩＤタグの通信障害を防止することができる。
また、本発明のでは、ＩＤタグ保持壁の外側係止部及び内側係止部が、ＩＤタグ配置孔内の孔内突条を挟んで、ＩＤタグ保持壁が導電性樹脂壁に固定される。ここで、孔内突条を含むＩＤタグ配置孔の縁部とＩＤタグ配置孔の内部空間との境界線は、凹凸を有しない直線からなる四角形をなしているので、ＩＤタグ保持壁のうち導電性樹脂壁と壁厚方向で重なり合う部分がＩＤタグ保持壁の外縁部に限定され、ＩＤタグをＩＤタグ保持壁の中央に配置して導電性樹脂壁から離間させることができる。
さらに、請求項２の構成によれば、孔内突条を、ＩＤタグ配置孔の内面の幅方向でクランク状に屈曲させて内寄り突部と外寄り突部とに区画し、内寄り突部に外側係止部を係止させる一方、外寄り突部に内側係止部を係止させたので、外側係止部及び内側係止部をＩＤタグ保持壁の壁厚方向の狭い範囲に収めることができ、導電性樹脂壁の内外面からの外側係止部及び内側係止部の突出を防いだり、その突出量を抑えることができる。
【００１４】
［請求項３の発明］
ＩＤタグ配置孔を有する導電性樹脂壁の外面に、リブ、フランジ、その他の外面突部が設けられている場合、請求項３の構成によれば、外面突部を含む導電性樹脂壁の最外面とＩＤタグ保持壁の最外面とを略面一に配置したので、そのＩＤタグ保持壁に取り付けられるＩＤタグが導電性樹脂壁の最外面近くに位置することになる。これにより、容器内の荷物によるＩＤタグの無線波への影響がより一層抑えられると共に、外面突部によるＩＤタグの無線波に対する影響も抑えられ、ＩＤタグの通信障害をより一層確実に防止することができる。
【図面の簡単な説明】
【００１８】
【図１】本発明の第１実施形態に係る折畳コンテナの組立状態の斜視図
【図２】折り畳み過程の折畳コンテナの斜視図
【図３】折畳状態の折畳コンテナの斜視図
【図４】ＩＤタグ配置孔及びＩＤタグ保持壁を短辺側壁の外面側から見た斜視図
【図５】短辺側壁の内面側から見たＩＤタグ配置孔及びＩＤタグ保持壁の斜視図
【図６】ＩＤタグが取り付けられたＩＤタグ保持壁の斜視図
【図７】ＩＤタグ配置孔内に取り付けられたＩＤタグ保持壁の斜視図
【図８】ＩＤタグ配置孔内に取り付けられたＩＤタグ保持壁の一部破断斜視図
【図９】ＩＤタグ配置孔内に取り付けられたＩＤタグ保持壁の一部破断斜視図
【図１０】第２実施形態のＩＤタグ配置孔及びＩＤタグ保持壁を短辺側壁の外面側から見た斜視図
【図１１】それらＩＤタグ配置孔及びＩＤタグ保持壁を短辺側壁の内面側から見た斜視図
【図１２】ＩＤタグ配置孔内に取り付けられたＩＤタグ保持壁を短辺側壁の外面側から見た斜視図
【図１３】ＩＤタグ配置孔内に取り付けられたＩＤタグ保持壁を短辺側壁の内面側から見た斜視図
【図１４】ＩＤタグ配置孔内に取り付けられたＩＤタグ保持壁の一部破断斜視図
【発明を実施するための形態】
【００１９】
［第１実施形態］
以下、図１〜図９に基づいて、本発明を折畳コンテナ１０に適用した第１実施形態について説明する。折畳コンテナ１０は、本発明の「搬送器具」に相当し、図１に示すように、底盤１１の外縁部に１対の長辺側壁２０，２０と１対の短辺側壁２５，２５とを組み付けてなる。これら底盤１１、長辺側壁２０及び短辺側壁２５は、何れも導電性樹脂の成形品であり、本発明の「導電性樹脂壁」に相当する。ここで、「導電性樹脂」とは、表面固有抵抗が１０６［Ω・ｃｍ］以下のものをいう。具体的には、本実施形態では、「導電性樹脂」として、例えば、ポリプロピレン又はポリエチレンのマトリックスに、導電粒子としてのカーボンブラック、カーボン等の導電フィラーを適宜配合した導電ポリプロピレン又は導電ポリエチレンが使用され、それら導電ポリプロピレン又は導電ポリエチレンの表面固有抵抗は１０６［Ω・ｃｍ］以下、体積固有抵抗率は１０３［Ω・ｃｍ］以下になっている。
【００２０】
図３に示すように、底盤１１は、平面形状が長方形になっていて、その外縁部には、１対の長辺部分全体を上方に突出させて１対の側壁支持突部１２，１２が形成されている。そして、図１に示すように、底盤１１のうち１対の側壁支持突部１２，１２に長辺側壁２０，２０が回動可能に連結される一方、底盤１１の外縁部のうち側壁支持突部１２を有しない１対の短辺部分に短辺側壁２５，２５が回動可能に連結されている。
【００２１】
長辺側壁２０は、主板部２０Ｈの外面に外面リブ２０Ｌを突出形成した構造をなし、底盤１１に連結した複数のヒンジ脚部２０Ｄを下面に備えている。これと同様に、短辺側壁２５も、主板部２５Ｈの外面に外面リブ２５Ｌ（本発明の「外面突部」に相当する）を突出形成した構造をなし、底盤１１に連結した複数のヒンジ脚部２５Ｄを下面に備えている。
【００２２】
長辺側壁２０の横方向の両端上部からは、短辺側壁２５側に１対のサイド突片２１，２１が張り出し、それら各サイド突片２１には、１対の係止孔２１Ａ，２１Ａが貫通形成されている。これに対し、短辺側壁２５の横方向の両端上部には、上記した係止孔２１Ａ，２１Ａに凹凸係合可能な１対の係止突部２５Ｔ，２５Ｔがそれぞれ備えられている。さらに、長辺側壁２０の主板部２０Ｈのうちサイド突片２１，２１の近傍には、その主板部２０Ｈの一部を片持ち梁状に切り離して弾性係合片２２が形成されている。
【００２３】
そして、１対の長辺側壁２０，２０及び１対の短辺側壁２５，２５を起立させると、１対の短辺側壁２５，２５が１対の長辺側壁２０，２０の端部同士の間にそれぞれ嵌って係止突部２５Ｔが係止孔２１Ａに凹凸係合すると共に、それら各短辺側壁２５の側縁部が各長辺側壁２０における弾性係合片２２の先端の係止突部２２Ａとサイド突片２１との間に挟まれて、折畳コンテナ１０が組立状態に保持される。
【００２４】
その組立状態の折畳コンテナ１０は、以下の手順で折畳状態にすることができる。即ち、弾性係合片２２を外側に撓ませて係止突部２２Ａと短辺側壁２５との係合を解除し、図２に示すように、短辺側壁２５，２５を底盤１１の上に重ねるように折り畳む。次いで、図３に示すように、短辺側壁２５，２５の上に、長辺側壁２０，２０を重ねるように折り畳む。すると、１対の側壁支持突部１２，１２の間に、１対の長辺側壁２０，２０が並んだ状態で収まり、折畳コンテナ１０全体が折畳状態になる。このとき各長辺側壁２０のサイド突片２１は、底盤１１の縁部に陥没形成されているサイド凹部１３に収容される。
【００２５】
一方の短辺側壁２５の外面には、図１に示すようにカードホルダー２８が取り付けられている。具体的には、上記した短辺側壁２５の外面リブ２５Ｌには、短辺側壁２５の横方向の両端部で上下に延びた複数ずつの縦リブ２５Ｋと、短辺側壁２５の上端部で縦リブ２５Ｋ群同士の間を連絡する複数の横リブ２５Ｍと、短辺側壁２５の下端部で縦リブ２５Ｋ群同士の間を連絡する１つの横リブ２５Ｎとが含まれている。そして、一方の短辺側壁２５の外面のうち上下の横リブ２５Ｍ，２５Ｎと、左右の縦リブ２５Ｋ群とに四方を囲まれた矩形領域２５Ｒの下端部中央にカードホルダー２８が取り付けられている。
【００２６】
このカードホルダー２８は、下端帯板２８Ａから上方に門形の弾性片２８Ｂを突出させた構造をなしている。そして、短辺側壁２５の下縁部に沿った横リブ２５Ｎと、その横リブ２５Ｎの上側近傍に設けた複数のホルダ係止壁２６と間に、カードホルダー２８の下端帯板２８Ａが差し込まれて図示しない係止突起と係止孔との係合により抜け止めされ、弾性片２８Ｂが短辺側壁２５の外面に対向配置されている。これにより、弾性片２８Ｂと短辺側壁２５の外面との間に、納品書、仕様書等のカードを差し込んで保持させることができる。なお、カードホルダー２８及びホルダ係止壁２６は、主板部２５Ｈの外面から外面リブ２５Ｌの先端面まで間に収まる大きさになっている。
【００２７】
さて、カードホルダー２８が取り付けられた一方の短辺側壁２５には、図１に示すように、本発明に係るＩＤタグ配置孔３０が貫通形成されている。ＩＤタグ配置孔３０は、図４に示すように、縦長の長方形になっていて、その開口縁に沿って前記した縦リブ２５Ｋ及び横リブ２５Ｎと開口縁リブ３１とが延びている。
【００２８】
詳細には、開口縁リブ３１は、一方の縦リブ２５Ｋ群のうち矩形領域２５Ｒ側の縦リブ２５Ｋにおける上端寄り位置から水平に延び、途中で下方に直角曲げされて下側の横リブ２５Ｎまで鉛直に延びている。また、開口縁リブ３１の先端面と外面リブ２５Ｌ（縦リブ２５Ｋ及び横リブ２５Ｎを含む）全体の先端面とは面一になっている。そして、ＩＤタグ配置孔３０は、開口縁リブ３１等に四方を囲まれ、それら開口縁リブ３１等のうちＩＤタグ配置孔３０の内側を向いた側面が、ＩＤタグ配置孔３０の内面３０Ａになっている。なお、前記した複数のホルダ係止壁２６の１つは、開口縁リブ３１のうちＩＤタグ配置孔３０の内面３０Ａとは反対側の側面と一体になっている。
【００２９】
ＩＤタグ配置孔３０の内面３０Ａには、孔内突条３２が突出形成されている。孔内突条３２全体は、ＩＤタグ配置孔３０の縁部に沿って延び、複数箇所でクランク状に屈曲していている。具体的には、孔内突条３２は、ＩＤタグ配置孔３０の内縁部における１対の縦辺の各上端寄り位置と各略中央位置と、下辺中央位置との計５箇所で、外側にクランク状に屈曲していて、これにより、孔内突条３２が、短辺側壁２５の外面寄りに位置した外寄り突部３２Ａと、短辺側壁２５の内面寄りに位置した内寄り突部３２Ｂとに区画されている。また、ＩＤタグ配置孔３０の内縁部における上辺では、孔内突条３２はクランク状に屈曲しておらず、全体が内寄り突部３２Ｂになっている。さらに、ＩＤタグ配置孔３０の内面３０Ａからの孔内突条３２の突出量は、孔内突条３２全体で均一になっていて、ＩＤタグ配置孔３０を貫通方向から見たときに、そのＩＤタグ配置孔３０の内部空間と、孔内突条３２の先端との境界線は、凹凸を有しない直線からなる四角形になっている。
【００３０】
なお、図４に示すように、外寄り突部３２Ａの外面は、開口縁リブ３１及び外面リブ２５Ｌの先端面と面一に配置される一方、図７に示すように、内寄り突部３２Ｂの内面は、短辺側壁２５の内面から外側に若干ずれている。
【００３１】
図１に示すように、ＩＤタグ配置孔３０は、ＩＤタグ保持壁４０によって閉塞されている。そのＩＤタグ保持壁４０は、非導電性樹脂の成形品である。ここで、「非導電性樹脂」は、表面固有抵抗が１０６［Ω・ｃｍ］より大きな樹脂をいい、本実施形態では、「非導電性樹脂」として、例えば、導電粒子を含有しない、「絶縁樹脂」としてのポリプロピレン又はポリエチレンが使用されている。なお、上記したカードホルダー２８も、「絶縁樹脂」としてのポリプロピレン又はポリエチレンの成形品になっている。
【００３２】
図４に示すように、ＩＤタグ保持壁４０は、ＩＤタグ配置孔３０に対応した縦長の長方形で平板状のベース壁４１を有している。ベース壁４１の外縁部には、孔内突条３２のクランク状の屈曲部に対応した複数位置に切欠部４１Ａが形成され、ベース壁４１の外縁部のうち切欠部４１Ａ以外の部位が、本発明に係る外側係止部４１Ｂになっている。そして、ＩＤタグ保持壁４０は、短辺側壁２５の外側からＩＤタグ配置孔３０内に嵌合され、外側係止部４１Ｂ群を前記した内寄り突部３２Ｂ群に押し付けた状態に取り付けられる。
【００３３】
なお、ＩＤタグ保持壁４０のうちＩＤタグ配置孔３０内に取り付けられた状態で、短辺側壁２５の外面と同じ外側を向く面を、以下、「ＩＤタグ保持壁４０の外面」といい、短辺側壁２５の内面と同じ内側を向く面を、以下、「ＩＤタグ保持壁４０の内面」というとする。
【００３４】
ＩＤタグ保持壁４０の外面は平坦になっている。これに対し、ＩＤタグ保持壁４０の内面には、図６に示すように、各外側係止部４１Ｂの縁部を縁取りするように補強リブ４１Ｌが突出形成されている。また、ベース壁４１の内面には、ベース壁４１全体の長方形より全体が一周り小さい長方形を描く線に沿って第１包囲リブ４１Ｍが突出形成されている。この第１包囲リブ４１Ｍは、切欠部４１Ａとベース壁４１の上部中央及び下部中央で分断されているが、第１包囲リブ４１Ｍ全体で、略長方形の枠形嵌合突部４１Ｔが構成されている。そして、その枠形嵌合突部４１Ｔが、補強リブ４１Ｌよりベース壁４１の内面から大きく突出していて、ＩＤタグ配置孔３０における孔内突条３２の先端面の内側に嵌合されるようになっている。
【００３５】
また、ベース壁４１の内面のうち上下に１対ずつ並んだ切欠部４１Ａの縁部には、本発明の「内側係止部」に相当する係止爪４２が設けられている。各係止爪４２は、切欠部４１Ａのうち凹状に凹んだ奥部中央において、ベース壁４１の内面から突出した可撓板４２Ｂと、その可撓板４２Ｂのうちベース壁４１の横方向外側を向いた側面から突出した係止突起４２Ａとを備えてなる。また、係止突起４２Ａは、ベース壁４１の縦方向から見ると直角三角形になっていて、可撓板４２Ｂの側面から垂直に起立した係止面４２Ｋと、ベース壁４１から離れるに従ってベース壁４１の横方向の中央側に向かうように傾斜した傾斜面４２Ｓとを有している。さらに、係止爪４２のうち傾斜面４２Ｓと反対側の面には、係止爪４２の先端から基端部に亘って補強用の突条４２Ｊが形成されている。
【００３６】
さらに、第１包囲リブ４１Ｍのうちベース壁４１の下辺部分の切欠部４１Ａに対応した部分には、その第１包囲リブ４１Ｍにおける補強リブ４１Ｌより後方に多く突出している部分を段付き状に下方に突出させて、本発明の「内側係止部」に相当する引掛突部４３が形成されている。これにより、ＩＤタグ保持壁４０をＩＤタグ配置孔３０に取り付ける際に、ＩＤタグ保持壁４０を斜めにして引掛突部４３をＩＤタグ配置孔３０の下端部の３２Ａ（図４参照）の内側に引っ掛けてから、ＩＤタグ保持壁４０を起こすように回動してＩＤタグ配置孔３０に押し込むことができる。すると、その過程で係止爪４２の傾斜面４２Ｓが孔内突条３２の先端に摺接して係止爪４２が撓み、ＩＤタグ保持壁４０全体がＩＤタグ配置孔３０内に収まったところで、係止爪４２が弾性復元して、係止爪４２の係止面４２ＫがＩＤタグ配置孔３０における外寄り突部３２Ａの内面に係止し、ＩＤタグ保持壁４０がＩＤタグ配置孔３０内に抜け止めされる。
【００３７】
ベース壁４１の内面のうち枠形嵌合突部４１Ｔの内側部分には、枠形嵌合突部４１Ｔより細長い長方形の下辺と両縦辺とを描く線に沿って第２包囲リブ４１Ｎが突出形成されている。また、第２包囲リブ４１Ｎのうち１対の縦辺部分は、ベース壁４１の上端まで延びて枠形嵌合突部４１Ｔの上辺部分に繋がっている。さらに、第１包囲リブ４１Ｍのうち係止爪４２を間に挟んで分断された部分の端部と第２包囲リブ４１Ｎとの間は、連絡リブ４１Ｒによって連絡されている。なお、第２包囲リブ４１Ｎのベース壁４１の内面からの突出量は、第１包囲リブ４１Ｍと同じになっている。そして、第２包囲リブ４１Ｎの内側が、ＩＤタグ６０を収容するためのタグ収容部４５になっている。
【００３８】
ＩＤタグ６０は、ＩＣタグ、ＲＦＩＤ（Ｒａｄｉｏ  Ｆｒｅｑｕｅｎｃｙ  Ｉｄｅｎｔｉｆｉｃａｔｉｏｎ）とも呼ばれ、例えば、四角形の板状又はフィルム状の基材に、コイルアンテナとＩＣチップとを実装してなり、全体が縦長のカード形状になっている。
【００３９】
ベース壁４１の上端部には、枠形嵌合突部４１Ｔ及びベース壁４１のうち第２包囲リブ４１Ｎの１対の縦辺部分に挟まれた部位を切除してタグ収容口４５Ｋが形成されている。また、図５に示すように、ベース壁４１の内面のうちタグ収容部４５の両側部寄り位置には、第２包囲リブ４１Ｎより低い１対のタグ当接突条４７，４７が上下方向に平行に延びている。また、１対のタグ当接突条４７，４７の上端部の間は、タグ当接突条４７と同じ高さの連絡突条４７Ａによって連絡されている。なお、ベース壁４１のうちタグ収容部４５を外側から覆う部分は、本発明に係るカバー部４１Ｄになっている。
【００４０】
図６に示すように、第２包囲リブ４１Ｎのうち１対の縦辺部分には、それら先端縁から互いに接近する側に１対ずつ計２対のタグ支持突片４６が張り出している。各タグ支持突片４６は、例えば、第２包囲リブ４１Ｎに沿って延びた帯板状をなしている。また、ベース壁４１には、各タグ支持突片４６との対向部分に、タグ支持突片４６より一回り大きな形状の目視窓４０Ａが形成されている。なお、タグ支持突片４６の突出量は、第２包囲リブ４１Ｎの縦辺部分とタグ当接突条４７との間隔より若干小さくなっていて、目視窓４０Ａは、第２包囲リブ４１Ｎの縦辺部分とタグ当接突条４７との間に配置されている。
【００４１】
ベース壁４１のうち１対のタグ当接突条４７，４７に挟まれた領域における上端寄り位置には、図４に示すように、ベース壁４１に門形のスリット４４Ｆを形成することでベース壁４１の一部を片持ち梁状に切り離して係止アーム４４が形成されている。また、ベース壁４１の裏面側における係止アーム４４の先端部には、係止突部４４Ａが突出形成されている。その係止突部４４Ａは、図６に示すように、下端部に水平な係止面４４Ｋを有し、その係止面４４Ｋの上側位置に傾斜面４４Ｓを有した三角形になっている。
【００４２】
本実施形態の折畳コンテナ１０の構成に関する説明は、以上である。次に、この折畳コンテナ１０の作用効果について説明する。ＩＤタグ６０を折畳コンテナ１０に取り付けるには、例えば、図５に示すように、ＩＤタグ保持壁４０を短辺側壁２５から外しておき、そのＩＤタグ保持壁４０のタグ収容部４５にＩＤタグ６０を挿入する。その際、係止アーム４４を撓ませながら、ＩＤタグ６０をタグ収容口４５Ｋからタグ支持突片４６とベース壁４１との間の隙間に挿入してもよいし、ＩＤタグ６０を係止アーム４４とタグ支持突片４６との間でベース壁４１の内面に斜めに突き当てて湾曲させ、タグ支持突片４６とベース壁４１との隙間に挿入してもよい。そして、ＩＤタグ６０がタグ収容部４５の奥部まで挿入され、係止アーム４４又はＩＤタグ６０が弾性復元すると、係止アーム４４における係止面４４ＫがＩＤタグ６０の端部に係止して、ＩＤタグ６０がタグ収容部４５内に保持される。
【００４３】
なお、ＩＤタグ保持壁４０を短辺側壁２５に取り付けた状態で、上記したようにＩＤタグ６０を湾曲させてタグ収容部４５に挿入してもよい。
【００４４】
ＩＤタグ保持壁４０を短辺側壁２５に取り付けるには、上述したように、短辺側壁２５の外面側からＩＤタグ保持壁４０の下端部の引掛突部４３をＩＤタグ配置孔３０の外寄り突部３２Ａに引っ掛けてから回動してＩＤタグ配置孔３０に押し込めばよい。そして、ＩＤタグ保持壁４０が短辺側壁２５に取り付けられると、図９に示すように、ＩＤタグ保持壁４０の外側係止部４１Ｂが内寄り突部３２Ｂの外面に係止すると共に、図８に示すように、ＩＤタグ保持壁４０の係止爪４２が外寄り突部３２Ａの内面に係止して、ＩＤタグ保持壁４０がＩＤタグ配置孔３０内に抜け止めされる。これにより、折畳コンテナ１０のＩＤタグ６０が取り付けられた状態になり、ＩＤタグ６０を使用した物流管理が可能になる。
【００４５】
ここで、本実施形態の折畳コンテナ１０では、ＩＤタグ保持壁４０以外で荷物に触れ得る部分の全体が導電性樹脂で構成されているので、折畳コンテナ１０の帯電を防いで荷物の静電気障害を防止することができる。また、折畳コンテナ１０のうちＩＤタグ６０を保持したＩＤタグ保持壁４０は、非導電性樹脂（絶縁性樹脂）で構成されているのでＩＤタグ６０の通信障害も防止することができる。
【００４６】
また、本実施形態の折畳コンテナ１０では、導電性樹脂壁である短辺側壁２５にＩＤタグ保持壁４０を固定するために形成された外寄り突部３２Ａ及び内寄り突部３２Ｂが、図４に示すように、ＩＤタグ配置孔３０内の孔内突条３２をクランク状に屈曲させて構成されているので、それら外寄り突部３２Ａ及び内寄り突部３２Ｂに係止する外側係止部４１Ｂと係止爪４２及び引掛突部４３とをＩＤタグ保持壁４０の壁厚方向の狭い範囲に収めることができ、短辺側壁２５の内外面からの外側係止部４１Ｂ、係止爪４２及び引掛突部４３の突出を防ぐことができる。
【００４７】
また、孔内突条３２の先端縁とＩＤタグ配置孔３０の内部空間との境界線は、ＩＤタグ配置孔３０の貫通方向から見て凹凸を有しない直線からなる四角形をなし、部分的に内側に大きく突出した部位がないので、ＩＤタグ保持壁４０のうち短辺側壁２５と壁厚方向で重なり合う部分がＩＤタグ保持壁４０の外縁部に限定される。これにより、ＩＤタグ６０をＩＤタグ保持壁４０の中央に配置して導電性樹脂壁である短辺側壁２５から遠ざけることができる。
【００４８】
また、図８に示すように、ＩＤタグ保持壁４０は、短辺側壁２５の内面より外側にずれた位置にＩＤタグ６０を配置して保持しているので、折畳コンテナ１０内の荷物によるＩＤタグ６０の無線通信に対する影響も低減させることができる。しかも、短辺側壁２５の外面突部である外面リブ２５Ｌ等の先端面（即ち、短辺側壁２５の最外面）と、ＩＤタグ保持壁４０の最外面とを略面一に配置したので、ＩＤタグ保持壁４０が短辺側壁２５の外面から突出して他の部品との干渉するような事態を回避しつつ、外面リブ２５Ｌ等の短辺側壁２５の外面突部によるＩＤタグ６０の無線波に対する影響も抑えられ、ＩＤタグ６０の通信障害をより一層確実に防止することができる。
【００４９】
さらに、ＩＤタグ６０は、ＩＤタグ保持壁４０のカバー部４１Ｄに覆われて保護されるので、ＩＤタグ６０の破損、損傷が防がれる。しかも、そのカバー部４１Ｄには目視窓４０Ａが貫通形成されているので、その目視窓４０Ａを通してＩＤタグ６０の有無を容易に目視確認することができ、ＩＤタグの付け忘れを防止することができる。
【００５０】
なお、本実施形態の折畳コンテナ１０では、ＩＤタグ保持壁４０を短辺側壁２５に着脱自在に取り付けたので、形状が異なる複数種類のＩＤタグ６０に対応させて、タグ収容部４５の形状が異なる複数種類のＩＤタグ保持壁４０を設けておき、使用するＩＤタグ６０に適したＩＤタグ保持壁４０を選択して導電性樹脂壁に取り付けるようにすることもできる。
【００５１】
［第２実施形態］
本実施形態の折畳コンテナ１０Ｖは、図１０〜図１４に示されており、ＩＤタグ配置孔３０の縁部とＩＤタグ保持壁４０Ｖの構造が前記第１実施形態と異なる。即ち、図１０に示すように、本実施形態のＩＤタグ配置孔３０内の孔内突条３２Ｖは、上辺中央のみがクランク状に外側に屈曲して本発明に係る外寄り突部３２Ｃになっている。また、図１１に示すように、ＩＤタグ配置孔３０を囲む開口縁リブ３１Ｖは、短辺側壁２５Ｖの内面から突出している。さらに、孔内突条３２Ｖの内面の先端縁には、開口縁リブ３１Ｖより低い補強リブ３１Ｗが突出形成されていて、開口縁リブ３１Ｖと補強リブ３１Ｗとで二重枠構造になっている。
【００５２】
孔内突条３２Ｖのうち１対の縦辺の各２位置には、開口縁リブ３１Ｖから補強リブ３１Ｗを横切ってＩＤタグ配置孔３０内に僅かに突出する位置まで延び補強梁６１Ｈが設けられている。また、各補強梁６１Ｈの先端から短辺側壁２５Ｖの外側に向かって係止突片６１が突出している。そして、図１４に示すように、係止突片６１におけるＩＤタグ配置孔３０の内側を向いた面には、係止面６１Ｋと傾斜面６１Ｓとを有した三角形の係止突起６１Ａが突設されている。
【００５３】
図１０に示すように、本実施形態では、ＩＤタグ保持壁４０Ｖのベース壁４１Ｖには、その上縁部中央のみに切欠部４１Ａが形成されている。また、図１１に示すように、ＩＤタグ保持壁４０Ｖの内面では、ベース壁４１Ｖの一部を膨出させてなる１対の土手部７０，７０が上下方向に平行に延びている。また、１対の土手部７０，７０の下端部の間は連絡壁７２にて連絡されて、それら１対の土手部７０，７０と連絡壁７２とに囲まれた部分がタグ収容部４５になっている。さらに、土手部７０，７０の互いの対向面からは、複数対のタグ支持突片６８が互いに接近するように張り出されている。
【００５４】
１対の土手部７０，７０の上面は、ベース壁４１Ｖの上端寄り位置に配置されかつ、上方に向かうに従って互いに離間するように傾斜したガイド面４５Ｇ，４５Ｇになっている。また、ベース壁４１Ｖの内面上部には、ガイド面４５Ｇ，４５Ｇの上端部から上方に延びかつベース壁４１Ｖの上端寄り位置で横方向に延びた内面補強リブ７３が形成され、その内面補強リブ７３における上辺中央から上方に上端係止突起６５が突出している。さらに、ベース壁４１Ｖのうち各タグ支持突片６８と対向する位置には、図１０に示すように、タグ支持突片６８と同形状の目視窓６６が貫通形成されている。また、ベース壁４１Ｖの上端寄り位置には、係止アーム４４が備えられている。
【００５５】
図１１に示すように、１対の土手部７０，７０のうちベース壁４１Ｖの外縁寄りに位置で上下方向に延びた１対の段差面７０Ｄ，７０Ｄには、上下方向の２位置にそれぞれ係合孔６２が形成されている。
【００５６】
ベース壁４１Ｖの外面のうち１対の土手部７０，７０の裏側に相当する部分には、図１０に示すように、１対の溝部７１，７１が陥没形成されている。各溝部７１には、各係合孔６２を上下で挟む位置で溝部７１内を横切る複数の区画壁７４が備えられ、それら区画壁７４によって、溝部７１内が複数の長部屋６３と小部屋６４とに区画されている。そして、係合孔６２が、小部屋６４の一内側面から奥面の一部に亘って開口している。
【００５７】
本実施形態の構成に関する説明は以上である。この実施形態のＩＤタグ保持壁４０Ｖにおいても、前記第１実施形態のＩＤタグ保持壁４０と同様の操作でＩＤタグ６０をタグ収容部４５に収容することができる。また、ＩＤタグ保持壁４０Ｖを短辺側壁２５Ｖに取り付けるには、短辺側壁２５Ｖの外面側からＩＤタグ保持壁４０Ｖの上端係止突起６５を、ＩＤタグ配置孔３０の上端部の外寄り突部３２Ｃの内面に引っ掛け、上端係止突起６５を中心にしてＩＤタグ保持壁４０Ｖを回動してＩＤタグ配置孔３０内に押し込むめばよい。すると、図１４に示すように、係止突片６１がＩＤタグ保持壁４０Ｖの内面側から係合孔６２を通して小部屋６４内に突入し、その小部屋６４の奥壁６４Ａに係止突片６１の係止面６１Ｋが係止する。また、このとき、ベース壁４１Ｖの外縁部が孔内突条３２Ｖの外面に当接する。これらにより、ＩＤタグ保持壁４０ＶがＩＤタグ配置孔３０内に固定される。そして、この実施形態の構成によっても、第１実施形態と同様の作用効果を奏する。
【００５９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６０】
（１）前記第１及び第２の実施形態では、「搬送器具」としての折畳コンテナ１０，１０Ｖに本発明を適用した例を示したが、「搬送器具」としてのパレット、バケット、トレイ等に本発明を適用してもよい。また、折畳不能なコンテナに本発明を適用してもよい。
【００６２】
（２）前記第１及び第２の実施形態では、ＩＤタグ６０がタグ収容部４５に収容されていたが、ＩＤタグ保持壁にタグ収容部を設けずに、ＩＤタグをＩＤタグ保持壁に接着剤等にて貼り付ける構成としてもよい。
【符号の説明】
【００６３】
１０，１０Ｖ    折畳コンテナ
２５，２５Ｖ，２５Ｗ    短辺側壁（導電性樹脂壁）
２５Ｌ    外面リブ（外面突部）
３０    タグ配置孔
３１    開口縁リブ（外面突部）
３２，３２Ｖ    孔内突条
３２Ａ，３２Ｃ  外寄り突部
３２Ｂ  内寄り突部
４０，４０Ｖ    タグ保持壁
４０Ａ，６６    目視窓
４１Ｂ    外側係止部
４１Ｄ    カバー部
４２    係止爪（内側係止部）
４３    引掛突部（内側係止部）
６０    タグ
６５    上端係止突起（内側係止部）
【図１】
0005921029.tif 000002
【図２】
0005921029.tif 000003
【図３】
0005921029.tif 000004
【図４】
0005921029.tif 000005
【図５】
0005921029.tif 000006
【図６】
0005921029.tif 000007
【図７】
0005921029.tif 000008
【図８】
0005921029.tif 000009
【図９】
0005921029.tif 000010
【図１０】
0005921029.tif 000011
【図１１】
0005921029.tif 000012
【図１２】
0005921029.tif 000013
【図１３】
0005921029.tif 000014
【図１４】
0005921029.tif 000015